(57)【要約】【課題】ノイズの除去が可能な音声信号を出力するマイクロフォンを使用するものでありながら、取り扱いが容易な、音声信号記録装置の提供。【解決手段】音声信号記録装置１の本体３にはグリップ部３Ｃが設けられており、本体３に設けられたマイクロフォン保持部３Ｄが、マイクロフォン２を保持すると、保持されたマイクロフォン２の音声信号出力端子２Ｃは、マイクロフォン保持部３Ｄの音声信号入力端子１０を介して、本体３の音声信号記録手段に接続されるので、従来のように、音声信号記録装置１を使用する際に、ケーブルに接続された音声信号記録装置１を持ち運ぶ必要がなくなり、マイクロフォン２を保持する本体３をグリップ部３Ｃで持ち運びながら、音声信号記録装置１をマイクロフォン２と一体的に使用することが出来、音声信号記録装置１の取り扱いを容易にすることが出来る。【選択図】  図１
2004363776.tif 000002
【特許請求の範囲】
【請求項１】
本体を有し、
前記本体に、音声信号を記録することの出来る音声信号記録手段を設け、
前記音声信号記録手段に音声信号入力端子を設け、
前記本体に、グリップ部を設け、
前記本体に、マイクロフォンを着脱自在に保持することの出来るマイクロフォン保持部を設け、
前記マイクロフォン保持部に前記音声信号入力端子を、前記マイクロフォン保持部に保持されたマイクロフォンの音声信号出力端子に対して着脱自在に設けて構成した音声信号記録装置。
【請求項２】
前記マイクロフォン保持部は、前記マイクロフォンを差し込み自在な差し込み穴を有することを特徴とする、
請求項１記載の音声信号記録装置。
【請求項３】
前記マイクロフォン保持部は、前記マイクロフォンのマイクグリップを着脱自在に保持することを特徴とする、
請求項１記載の音声信号記録装置。
【請求項４】
前記音声信号入力端子は、ＸＬＲ端子であることを特徴とする、
請求項１記載の音声信号記録装置。
【請求項５】
前記本体に、画像データの入力を受け付ける画像データ入力手段を設け、
前記本体の外周部に、画像表示手段を設け、
前記本体に、前記画像データ入力手段に入力された画像データが示す画像を前記画像表示手段に表示させる、画像表示制御手段を設けたことを特徴とする、
請求項１記載の音声信号記録装置。
【請求項６】
前記本体に、外部メモリを前記音声信号記録手段に着脱自在に接続することの出来る外部メモリ接続手段を設け、
前記音声信号記録手段は、前記マイクロフォンの音声信号出力端子から前記音声信号入力端子を介して入力される音声信号を、前記外部メモリ接続手段に接続された外部メモリに記録することが出来ることを特徴とする、
請求項１記載の音声信号記録装置。
【請求項７】
前記外部メモリは、フラッシュメモリであることを特徴とする、
請求項６記載の音声信号記録装置。
【請求項８】
前記本体に、前記マイクロフォンの音声信号出力端子から、前記音声信号入力端子を介して入力される音声信号を無線送信する、音声信号無線送信手段を設けたことを特徴とする、
請求項１記載の音声信号記録装置。
【発明の詳細な説明】
【０００１】
【発明の属する技術分野】
本発明は、マイクロフォンから出力される音声信号を記録することの出来る、音声信号記録装置に係り、詳しくは、ノイズの除去が可能な音声信号を出力するマイクロフォンを使用するものでありながら、取り扱いが容易な、音声信号記録装置に関する。
【０００２】
【従来の技術】
従来、この種の音声信号記録装置としては、フラッシュメモリなどからなる着脱自在な外部メモリ（メモリーカード）に音声信号を記録することの出来る、ＩＣレコーダが知れられている。外部メモリは、近年の急速な技術進展により、小型軽量でありながら大容量化が可能であり、このような外部メモリを上述したＩＣレコーダに採用することにより、ＩＣレコーダをコンパクトに構成しながら、音声信号を良好な音質で記録することが出来る。
【０００３】
【発明が解決しようとする課題】
しかし、音声信号を良好な音質で記録するには、ノイズの除去が可能な音声信号を出力するマイクロフォン（例えば、ＸＬＲ端子を備えたマイクロフォン）を使用しなければならないため、例えば、放送局が番組の収録を行う際に、上述したＩＣレコーダを使用する場合、使用前は、マイクロフォンをケーブルを介してＩＣレコーダに接続する面倒な段取り作業を行わなければならず、使用中は、マイクロフォンと共に、ケーブルで接続されたＩＣレコーダを常に持ち運ばなければならない不都合があった。
【０００４】
本発明は、上記した事情を鑑み、ノイズの除去が可能な音声信号を出力するマイクロフォンを使用するものでありながら、取り扱いが容易な、音声信号記録装置を提供することを目的とするものである。
【０００５】
【課題を解決するための手段】
請求項１の発明は、本体（３）を有し、
前記本体（３）に、音声信号（ＡＳ）を記録することの出来る音声信号記録手段（２３、２５）を設け、
前記音声信号記録手段（２３、２５）に音声信号入力端子（１０）を設け、
前記本体（３）に、グリップ部（３Ｃ）を設け、
前記本体（３）に、マイクロフォン（２）を着脱自在に保持することの出来るマイクロフォン保持部（３Ｄ）を設け、
前記マイクロフォン保持部（３Ｄ）に前記音声信号入力端子（１０）を、前記マイクロフォン保持部（３Ｄ）に保持されたマイクロフォン（２）の音声信号出力端子（２Ｃ）に対して着脱自在に設けて構成される。
【０００６】
請求項２の発明は、前記マイクロフォン保持部（３Ｄ）は、前記マイクロフォン（２）を差し込み自在な差し込み穴（６）を有することを特徴として構成される。
【０００７】
請求項３の発明は、前記マイクロフォン保持部（３Ｄ）は、前記マイクロフォン（２）のマイクグリップ（２Ａ）を着脱自在に保持することを特徴として構成される。
【０００８】
請求項４の発明は、前記音声信号入力端子（１０）は、ＸＬＲ端子（１０ｈ、１０ｃ、１０ｇ）であることを特徴として構成される。
【０００９】
請求項５の発明は、前記本体（３）に、画像データ（ＧＤ）の入力を受け付ける画像データ入力手段（１３）を設け、
前記本体（３）の外周部（３ｃ）に、画像表示手段（５）を設け、
前記本体（３）に、前記画像データ入力手段（１３）に入力された画像データ（ＧＤ）が示す画像（例えばＣＨ）を前記画像表示手段（５）に表示させる、画像表示制御手段（２８）を設けたことを特徴として構成される。
【００１０】
請求項６の発明は、前記本体（３）に、外部メモリ（ＯＭ）を前記音声信号記録手段（２３、２５）に着脱自在に接続することの出来る外部メモリ接続手段（１２Ａ）を設け、
前記音声信号記録手段（２３、２５）は、前記マイクロフォン（２）の音声信号出力端子（２Ｃ）から前記音声信号入力端子（１０）を介して入力される音声信号（ＡＳ）を、前記外部メモリ接続手段（１２Ａ）に接続された外部メモリ（ＯＭ）に記録することが出来ることを特徴として構成される。
【００１１】
請求項７の発明は、前記外部メモリ（ＯＭ）は、フラッシュメモリであることを特徴として構成される。
【００１２】
請求項８の発明は、前記本体（３）に、前記マイクロフォン（２）の音声信号出力端子（２Ｃ）から、前記音声信号入力端子（１０）を介して入力される音声信号（ＡＳ）を無線送信する、音声信号無線送信手段（２９）を設けたことを特徴として構成される。
【００１３】
【発明の効果】
請求項１記載の発明によれば、音声信号記録装置（１）の本体（３）にはグリップ部（３Ｃ）が設けられており、本体（３）に設けられたマイクロフォン保持部（３Ｄ）が、マイクロフォン（２）を保持すると、保持されたマイクロフォン（２）の音声信号出力端子（２Ｃ）は、マイクロフォン保持部（３Ｄ）の音声信号入力端子（１０）を介して、本体（３）の音声信号記録手段（２３、２５）に接続されるので、マイクロフォン（２）を保持する本体（３）をグリップ部（３Ｃ）で持ち運びながら、音声信号記録装置（１）をマイクロフォン（２）と一体的に使用することが出来、音声信号記録装置（１）の取り扱いを容易にすることが出来る。
【００１４】
請求項２記載の発明によれば、マイクロフォン（２）を差し込み穴（６）に差し込むだけで、マイクロフォン（２）の音声信号出力端子（２Ｃ）が、音声信号記録手段（２３、２５）に接続されるので、音声信号記録装置（１）による録音の段取り作業を、簡単に済ませることが出来る。
【００１５】
請求項３記載の発明によれば、マイクロフォン保持部（３Ｄ）は、マイクロフォン（２）のマイクグリップ（２Ａ）を保持するので、マイクロフォン（２）を保持する本体（３）を、外観上マイクロフォン（２）に似せることが出来る。これにより、グリップ部（３Ｃ）を手に持った状態でマイクロフォン（２）に音声を入力することで、マイクロフォン（２）を保持する本体（３）を、あたかもマイクロフォン（２）のように使用することが出来る。例えば、放送局が番組の収録を行う際に、特に映す必要のない音声信号記録装置（１）が存在しないような映像ＰＣを撮ることが出来る。
【００１６】
請求項４記載の発明によれば、音声信号入力端子（１０）は、ＸＬＲ端子（１０ｈ、１０ｃ、１０ｇ）であるので、ＸＬＲ端子（例えば図２に示す２Ｃ）を備えたマイクロフォン（２）を使用することが出来、音質が良好な音声信号（ＡＳ）を記録することが出来る。
【００１７】
請求項５記載の発明によれば、入力された画像データ（ＧＤ）が示す画像は、本体（３）の外周部（３ｃ）に設けられた画像表示手段（５）に表示されるので、音声信号記録装置（１）をマイクロフォン（２）と一体的に使用しながら、所定の画像（例えばＣＨ）を本体（３）の外周部（３ｃ）に表示させることが出来る。例えば、放送局が番組の収録を行う際に、広告やキャッチフレーズなどの画像を映像に映し出すことが出来る。
【００１８】
請求項６記載の発明によれば、音声信号（ＡＳ）を着脱自在な外部メモリ（ＯＭ）に記録することが出来る。
【００１９】
請求項７記載の発明によれば、外部メモリ（ＯＭ）は、フラッシュメモリであるので、音声信号（ＡＳ）の音質を低下させることなく、音声信号記録装置（１）の小型化を図ることが出来、音声信号記録装置（１）の取り扱いを、更に容易にすることが出来る。
【００２０】
請求項８記載の発明によれば、マイクロフォン（２）から入力された音声信号（ＡＳ）は、更に、無線送信されるので、マイクロフォン（２）を保持する音声信号記録装置（１）を、ワイヤレスマイクロフォンとして使用することも出来る。
【００２１】
なお、括弧内の番号などは、本発明の理解を助けるために、図面における対応する要素を便宜的に示すものである。従って、本記述は図面上の記載に限定拘束されるものではなく、また、この符号の記載により本発明を解釈すべきでない。
【００２２】
【発明の実施の形態】
図１は、本発明に適用されるＩＣレコーダの一例と、ＩＣレコーダに使用することの出来るマイクロフォンの一例とを示す斜視図、図２は、マイクグリップが差し込み穴で保持されたＩＣレコーダの一例を示す断面図、図３は、ＩＣレコーダの一例を示す外観図で、（ａ）は上面図、（ｂ）は正面図、（ｃ）は背面図、図４は、ＩＣレコーダの制御部の一例を示すブロック図、図５は、マイクグリップが差し込まれたＩＣレコーダを持つレポータを撮影した映像の一例を示している。
【００２３】
図１は、本発明に適用される音声信号記録装置として、ＩＣレコーダ１の一例を示している。ＩＣレコーダ１とは、音声信号をデジタル信号に変換して、後述する外部メモリに記録する装置である。なお、本発明の実施の形態では、録音機能のみを設けたＩＣレコーダ１について説明するが、更に、再生機能を設けることも可能である。
【００２４】
ＩＣレコーダ１は、図１に示すように、本体３を有している。本体３は、ヘッド部３Ａ、連結部３Ｂ、グリップ部３Ｃ、及びマイクロフォン保持部３Ｄから構成されている。ヘッド部３Ａは、円筒状に形成されており、ヘッド部３Ａの下面部３ｂには、連結部３Ｂを介して、グリップ部３Ｃが、ヘッド部３Ａに対して同軸状に設けられている。グリップ部３Ｃは、ヘッド部３Ａと同様に円筒状に形成されており、その径は、ＩＣレコーダ１を片手で持つことが出来る程度の大きさである。
【００２５】
ヘッド部３Ａの上面部３ａには、差し込み口７が設けられており、差し込み口７から、ヘッド部３Ａ、連結部３Ｂ、及びグリップ部３Ｃのそれぞれの内部を連通する、差し込み穴（破線）６が、マイクロフォン保持部３Ｄとして形成されている。差し込み穴６は、マイクロフォン２が図中矢印Ａ方向から差し込み自在となるように構成されており、円筒状の内壁面８と、内壁面８が終端する底部（破線）９とを有している。
【００２６】
また、図１は、ＩＣレコーダ１に使用することの出来るマイクロフォン２を示している。マイクロフォン２は、ノイズの除去が可能な音声信号を出力するマイクロフォンであり、具体的には、入力された音声を、正位相信号ＡＳＨ、逆位相信号ＡＳＣ、及び接地信号ＡＳＧで構成される、音声信号ＡＳに変換する、変換回路（図示せず）が設けられた、マイクロフォンである。
【００２７】
正位相信号ＡＳＨとは、入力された音声の位相がそのままの音声信号をいい、逆位相信号ＡＳＣとは、入力された音声の位相が反転された音声信号をいう。なお、接地信号ＡＳＧは、グランドを意味する。この種のマイクロフォンとしては、例えば、ダイナミックマイクロフォンやコンデンサマイクロフォンなどがある。
【００２８】
マイクロフォン２には、図１に示すように、マイクグリップ２Ａが設けられており、マイクグリップ２Ａの上端部２ａには、音声が入力自在なマイクヘッド２Ｂが設けられている。
【００２９】
図２は、マイクグリップ２Ａが差し込み穴６で保持されたＩＣレコーダ１の断面図を示している。なお、同図に示すＩＣレコーダ１及びマイクロフォン２の内部構造は省略している。
【００３０】
マイクグリップ２Ａの下端部２ｂには、図２に示すように、上述した音声信号ＡＳが出力自在な音声信号出力端子２Ｃが設けられている。具体的には、音声信号出力端子２Ｃは、ＸＬＲ端子のオスピンで構成されており、正位相信号ＡＳＨ、逆位相信号ＡＳＣ、及び接地信号ＡＳＧを、それぞれ出力自在な、正位相出力端子２ｈ、逆位相出力端子２ｃ、及び接地出力端子２ｇを有している。
【００３１】
一方、差し込み穴６の底部９には、図１及び図２に示すように、上述した音声信号出力端子２Ｃから出力される音声信号ＡＳが入力自在な、音声信号入力端子１０が設けられている。具体的には、音声信号入力端子１０は、ＸＬＲ端子のメスピンで構成されており、マイクロフォン２の、正位相出力端子２ｈ、逆位相出力端子２ｃ、及び接地出力端子２ｇそれぞれと、接続自在に構成された、正位相入力端子１０ｈ、逆位相入力端子１０ｃ、接地入力端子１０ｇを有している。
【００３２】
なお、音声信号入力端子１０は、必ずしも３端子である必要はなく、マイクロフォン２の音声信号出力端子２Ｃの端子数が３端子でない場合は（４端子ないし７端子のＸＬＲ端子の場合）、音声信号入力端子１０の端子数を上記端子数に応じて変更すればよい。また、音声信号入力端子１０は、ノイズの除去が可能な音声信号を出力することの出来る端子構成であれば、特にＸＬＲ端子である必要はない。
【００３３】
図３は、ＩＣレコーダ１の外観図で、（ａ）は上面図、（ｂ）は正面図、（ｃ）は背面図を示している。
【００３４】
ＩＣレコーダ１のヘッド部３Ａには、図３（ｂ）に示すように、画像表示部５が設けられており、画像表示部５は、同図（ａ）の一点鎖線で示すように、ヘッド部３Ａの外周部３ｃに沿って、「Ｃ」状に湾曲した形に形成されている。このような画像表示部５は、例えば、曲げることが可能な、有機ＥＬディスプレイ（有機エレクトロルミネセンスディスプレイ）で構成される。
【００３５】
なお、画像表示部５は、必ずしも有機ＥＬディスプレイで構成される必要はなく、例えば、ＬＥＤ（発光ダイオード）などの発光素子を多数配列させて構成してもよい。また、ヘッド部３Ａは必ずしも円筒状である必要はなく、角柱形状に形成してもよい。例えば、三角柱形状に形成した場合、画像表示部５を、該三角柱の各側面に例えば液晶ディスプレイを設けて構成することも可能である。
【００３６】
一方、ＩＣレコーダ１の本体３背面には、図３（ｃ）に示すように、操作パネル（破線枠内）ＣＰが設けられている。操作パネルＣＰには、操作部２２、操作情報表示部１１、外部メモリスロット１２、及び画像データ入力端子１３などが設けられている。
【００３７】
操作部２２は、電源スイッチ２２Ａ、録音ボタン２２Ｂ、及び停止ボタン２２Ｃなどを有している。操作情報表示部１１は、例えば液晶ディスプレイからなり、所定の操作情報（例えば、録音可能な残り時間）が表示自在になるように構成されている。
【００３８】
外部メモリスロット１２には、外部メモリ接続端子１２Ａ（図４に図示）が設けられており、外部メモリ接続端子１２Ａは、外部メモリＯＭを着脱自在に接続出来るように構成されている。外部メモリＯＭとしては、例えば、コンパクトフラッシュ（登録商標）メモリなどの着脱自在なメモリカードがあり、このようなメモリカードはフラッシュメモリなどで構成されている。
【００３９】
画像データ入力端子１３は、画像データが入力自在となるように構成されており、例えばＵＳＢ端子（ユニバーサル・シリアル・バス端子）からなる。画像データとしては、所定のアプリケーションソフトで作成されたデータであり、いずれのデータ形式であってもよい。
【００４０】
図４は、ＩＣレコーダ１の制御部２０の一例を示すブロック図を示している。ＩＣレコーダ１の本体３には、図４に示す制御部（破線枠内）２０が設けられている。制御部２０は、主制御部２１が設けられており、主制御部２１は、バス線３０を介して、上述した操作部２２、ＡＤ変換部２３、音声データ記録部２５、画像データ格納制御部２６、内部メモリ２７、表示制御部２８、及び音声データ無線送信部２９（一点鎖線）などに接続されている。
【００４１】
また、ＡＤ変換部２３には、上述した音声信号入力端子１０を構成する、正位相入力端子１０ｈ、逆位相入力端子１０ｃ、及び接地入力端子１０ｇが接続されている。音声データ記録部２５には、上述した外部メモリ接続端子１２Ａが接続されている。画像データ格納制御部２６には、画像データ入力端子１３が接続されている。表示制御部２８には、画像表示部５が接続されている。なお、図４に示す外部メモリ接続端子１２Ａは、外部メモリスロット１２に外部メモリＯＭが挿入されて、外部メモリＯＭが接続された状態を示している。
【００４２】
ＩＣレコーダ１は、以上のような構成を有するので、ＩＣレコーダ１を用いて、放送局が番組の収録を行うには、まず、当該収録に先立って、所定の段取り作業を行う。
【００４３】
まず、オペレータが、例えばパソコン（図示せず）を、ＵＳＢケーブル（図示せず）を介してＩＣレコーダ１の画像データ入力端子１３に接続する。パソコンを画像データ入力端子１３に接続すると、オペレータは、上記パソコンで、収録中に表示すべき画像（例えば、放送局名、スポンサー名、番組名などの広告や、キャッチコピー）として、例えば、「ワイドニュース」の文字ＣＨを示す画像データＧＤを作成し、作成した画像データＧＤを、ＵＳＢケーブルを介して画像データ入力端子１３に出力させる。画像データ入力端子１３に画像データＧＤが入力されると、図４に示す制御部２０の画像データ格納制御部２６は、入力された画像データＧＤを内部メモリ２７に格納する。
【００４４】
こうして、画像データＧＤの準備が終了すると、オペレータは、画像データＧＤを格納したＩＣレコーダ１やマイクロフォン２などの機材を持って、収録現場に移動する。
【００４５】
収録現場に到着すると、オペレータは、番組の収録を行うために、マイクロフォン２のマイクグリップ２Ａを、図１に示す矢印Ａ方向から、ＩＣレコーダ１の差し込み穴６に差し込む。
【００４６】
マイクグリップ２Ａが差し込み穴６に差し込まれると、図２に示すように、マイクロフォン２の音声出力端子２Ｃと、ＩＣレコーダ１の音声入力端子１１とが、互いのＸＬＲ端子が対応する形に接続される。従って、正位相出力端子２ｈが、正位相入力端子１０ｈに接続され、逆位相出力端子２ｃが、逆位相入力端子１０ｃに接続され、接地出力端子２ｇが、接地入力端子１０ｇに接続されることになる。
【００４７】
また、音声出力端子２Ｃと音声入力端子１１とには、ロック機構（図示せず）が設けられており、ロック機構は、上述した、音声出力端子２Ｃと音声入力端子１１との接続状態を固定する。音声出力端子２Ｃと音声入力端子１１とは、ロック機構により接続状態が固定されると、マイクグリップ２Ａは、図２に示すように、差し込み穴６の内壁面８で保持されて、ＩＣレコーダ１は、一点鎖線で示す中心線ＣＬで、マイクロフォン２と同軸状に一体化することになる。なお、マイクロフォン保持部３Ｄは、必ずしも差し込み穴６である必要はなく、例えば、クランプ状の保持手段でもよい。
【００４８】
ＩＣレコーダ１がマイクロフォン２と一体化された状態で、オペレータは、マイクロフォン２の電源スイッチ（図示せず）と、ＩＣレコーダ１の電源スイッチ２２Ａとをそれぞれ押し上げて、マイクロフォン２とＩＣレコーダ１との電源を入れ、外部メモリスロット１２に、外部メモリＯＭを挿入する。外部メモリＯＭが挿入されると、外部メモリＯＭは外部メモリ接続端子１２Ａに接続されて、これにより、段取り作業が終了する。
【００４９】
このように、マイクグリップ２Ａを差し込み穴６に挿入するだけで、音声出力端子２Ｃと音声入力端子１１とが接続されるので、音声出力端子２Ｃと音声入力端子１１とをケーブルを介して接続する、面倒な段取り作業を行う必要がなくなる。これにより、段取り作業を簡単に済ませることが出来るので、速やかに収録を開始することが出来る。
【００５０】
こうして、段取り作業が終了したところで、番組の収録を開始する。図５は、マイクグリップ２Ａが差し込まれたＩＣレコーダ１を持つレポータを撮影した映像ＰＣを示している。
【００５１】
映像を介してニュースなどを伝達する者（以下「レポータＬＰ」という。）は、図５に示すように、マイクグリップ２Ａが差し込まれたＩＣレコーダ１のグリップ部３Ｃを片手で持ち、マイクヘッド２Ｂを口元に近付け、図３（ｃ）に示す録音ボタン２２Ｂを押下する。録音ボタン２２Ｂが押下されると、図４に示す制御部２０の主制御部２１は、ＡＤ変換部２３に入力される音声信号ＡＳを外部メモリＯＭに記録するように（録音処理を）指令する。
【００５２】
オペレータは、テレビカメラ（図示せず）により、ＩＣレコーダ１を持つレポータＬＰが映し出された、図５に示す映像ＰＣの撮影を開始する。撮影が開始されると、レポータＬＰは、マイクヘッド２Ｂに向かって話し始める。
【００５３】
レポータＬＰが話し始めると、その音声が、マイクヘッド２Ｂに入力され、マイクロフォン２の変換回路（図示せず）が、入力された音声を、音声信号ＡＳに変換する。変換回路は、上記音声信号ＡＳを構成する、正位相信号ＡＳＨ、逆位相信号ＡＳＣ、及び接地信号ＡＳＧを、それぞれ、音声出力端子２Ｃの、正位相出力端子２ｈ、逆位相出力端子２ｃ、及び接地出力端子２ｇから出力させる。
【００５４】
出力された、正位相信号ＡＳＨ、逆位相信号ＡＳＣ、及び接地信号ＡＳＧは、それぞれ、ＩＣレコーダ１の音声信号入力端子１０を構成する、正位相入力端子１０ｈ、逆位相入力端子１０ｃ、及び接地入力端子１０ｇを介して、ＡＤ変換部２３に入力される。
【００５５】
ＡＤ変換部２３は、上述したように、主制御部２１から録音処理が指令されているので、音声信号ＡＳが入力されると、逆位相信号ＡＳＣを反転させて、反転させた逆位相信号ＡＳＣを正位相信号ＡＳＨに加算する。これにより、正位相信号ＡＳＨと逆位相信号ＡＳＣとに生じた不平衡なノイズが互いに相殺されて、ノイズが除去された良好な音質の音声信号が生成される。
【００５６】
ＡＤ変換部２３は、上記生成した音声信号を、所定のサンプリング周波数（例えば４８ｋＨｚ）で、２進数に量子化し、量子化した音声信号（以下「デジタル音声信号ＡＳＤ」という。）を、音声データ記録部２５に出力する。音声データ記録部２５は、デジタル音声信号ＡＳＤが入力されると、デジタル音声信号ＡＳＤを、外部メモリ接続端子１２Ａに接続された外部メモリＯＭに記録する。なお、デジタル音声信号ＡＳＤは、必ずしも外部メモリＯＭに記録する必要はなく、例えば内部メモリ２７に格納することも可能である。
【００５７】
こうして、レポータＬＰは、マイクグリップ２Ａが差し込まれたＩＣレコーダ１のグリップ部３Ｃを手に持ちながら話しを続けると、その音声は、上述したようにデジタル音声信号ＡＳＤに変換されて、外部メモリＯＭに順次記録されてゆく。
【００５８】
このように、ＩＣレコーダ１を、マイクロフォン２と一体化された状態で使用することが出来るので、従来のようにケーブルに接続されたＩＣレコーダを持ち運ぶ必要がなくなり、ＩＣレコーダ１の取り扱いを容易にすることが出来る。また、外部メモリＯＭとして、フラッシュメモリなどで構成される大容量で小型のメモリカードを採用することにより、デジタル音声信号ＡＳＤの音質を維持しながら、ＩＣレコーダ１を小型化することが出来るので、ＩＣレコーダ１の取り扱いを、更に容易にすることが出来る。
【００５９】
しかも、ＩＣレコーダ１は、マイクロフォン２と同軸状に配置された状態で一体化されているので、レポータＬＰは、これらＩＣレコーダ１及びマイクロフォン２を、あたかもマイクロフォン２のように使用することが出来、また、視聴者に対して、特に映す必要のない収録機（ＩＣレコーダ）が映像ＰＣに存在しないように見せることが出来る。
【００６０】
なお、ＩＣレコーダ１がマイクロフォン２と一体化された構成として、同軸状に配置された構成を示したが、必ずしも同軸状である必要はなく、例えば、ＩＣレコーダ１のグリップ部３Ｃがマイクグリップ２Ａと平行に配置された状態で、一体化されている場合でも、これらＩＣレコーダ１及びマイクロフォン２を、上述と同様に、あたかもマイクロフォン２のように使用することが出来る。
【００６１】
また、ＩＣレコーダ１のグリップ部３Ｃの形状として、上述したように円筒状に形成した例を示したが、マイクグリップ２Ａのように片手で持つことが出来る形状であれば、特に円筒状である必要はない。例えば、頂点が図１中下方に向いた円錐形状又は角錐形状でもよく、あるいはジョッキなどの取っ手形状でもよい。
【００６２】
なお、マイクロフォン２からの音声信号ＡＳを記録する場合について説明したが、当該音声信号ＡＳを、更に無線送信することも可能である。例えば、ＡＤ変換部２３が、デジタル音声信号ＡＳＤを、音声データ記録部２５と共に音声データ無線送信部２９に出力し、音声データ無線送信部２９は、入力されたデジタル音声信号ＡＳＤを、デジタル変調などの所定処理を行って無線送信してもよい。これにより、マイクロフォン２と一体化されたＩＣレコーダ１を、更に、ワイヤレスマイクロフォンとして使用することも出来、例えば、無線送信したデジタル音声信号ＡＳＤを、テレビカメラ側で録音することも出来る。
【００６３】
ところで、録音ボタン２２Ｂは、画像データＧＤの表示ボタンを兼用しており、上述した、レポータＬＰによる録音ボタン２２Ｂの押下により、画像データＧＤの表示指令が入力される。なお、画像データＧＤの表示ボタンは、特に兼用である必要はなく、録音ボタン２２Ｂと別個に設けてもよい。
【００６４】
主制御部２１は、画像データＧＤの表示指令を受けて、表示制御部２８に画像データＧＤの読み出しを指令する。表示制御部２８は、上記指令を受けると、内部メモリ２７から画像データＧＤを読み出す。読み出した画像データＧＤは、上述したように、「ワイドニュース」の文字ＣＨを示すので、表示制御部２８は、図３（ａ）に示すように、「ワイドニュース」の文字ＣＨを画像表示部５に表示する。こうして、表示された「ワイドニュース」の文字ＣＨは、図５に示すように、レポータＬＰが持つＩＣレコーダ１に表示された形で、映像ＰＣに映し出される。
【００６５】
このように、マイクグリップ２Ａを差し込み穴６に差し込むことで、「Ｃ」状に湾曲された画像表示部５が、マイクグリップ２Ａの外周に配置されるので、マイクロフォン２と一体化されたＩＣレコーダ１を、あたかも広告（例えば放送局名）が付されたマイクロフォンのように使用することが出来る。
【００６６】
また、画像表示部５をマイクグリップ２Ａの外周に配置させることで、たとえ、レポータＬＰが図５中左右方向に身体の向きを変えて、マイクロフォン２の向きが変わっても、表示すべき画像を常に映像ＰＣに映し出すことが出来る。
【００６７】
なお、表示される画像は、特に文字である必要はなく、種々の画像（例えば静止画や動画）を表示させてもよい。また、画像データＧＤは、必ずしも予め準備する必要はなく、例えば、ＩＣレコーダ１にキーボードなどの入力手段を設けて、収録現場で、収録中に表示すべき画像を、適宜入力・表示させることも可能である。
【００６８】
こうして、所定の音声を録音したところで、レポータＬＰは、図３（ｃ）に示す停止ボタン２２Ｃを押下する。停止ボタン２２Ｃが押下されると、主制御部２１は、ＡＤ変換部２３に音声信号ＡＳの録音処理の停止を指令し、ＡＤ変換部２３は、該指令を受けて録音処理を停止する。これにより、番組の収録が終了する。
【００６９】
番組の収録が終了すると、オペレータは、デジタル音声信号ＡＳＤが記録された外部メモリＯＭを、外部メモリスロット１２から取り出し、所定の編集装置（図示せず）で、外部メモリＯＭに記録されたデジタル音声信号ＡＳＤを、撮影した映像ＰＣと共に編集する。こうして、編集されたデジタル音声信号ＡＳＤは映像ＰＣと共に、所定の番組で送出されることになる。
【００７０】
以上のように、本発明に係るＩＣレコーダ１は、一体化されたＩＣレコーダ１及びマイクロフォン２を、あたかもマイクロフォン２のように使用することが出来るので、オペレータやレポータＬＰは、ＩＣレコーダ１の存在を意識することなく収録を行うことが出来る。
【００７１】
なお、本発明の実施の形態において、音声信号記録装置としてＩＣレコーダについて説明したが、マイクロフォン２と一体的に使用することが出来る音声信号記録装置であれば（つまり、片手で持てる程度の大きさ及び重さの音声信号記録装置であれば）、特にＩＣレコーダ１である必要はない。
【図面の簡単な説明】
【図１】図１は、本発明に適用されるＩＣレコーダの一例と、ＩＣレコーダに使用することの出来るマイクロフォンの一例とを示す斜視図である。
【図２】図２は、マイクグリップが差し込み穴で保持されたＩＣレコーダの一例を示す断面図である。
【図３】図３は、ＩＣレコーダの一例を示す外観図で、（ａ）は上面図、（ｂ）は正面図、（ｃ）は背面図である。
【図４】図４は、ＩＣレコーダの制御部の一例を示すブロック図である。
【図５】図５は、マイクグリップが差し込まれたＩＣレコーダを持つレポータを撮影した映像の一例を示す図である。
【符号の説明】
１……音声信号記録装置（ＩＣレコーダ）
２……マイクロフォン
２Ａ……マイクグリップ
２Ｃ……音声信号出力端子
３……本体
３Ｃ……グリップ部
３ｃ……外周部
３Ｄ……マイクロフォン保持部
５……画像表示手段（画像表示部）
６……差し込み穴
１０……音声信号入力端子
１０ｃ……ＸＬＲ端子（逆位相入力端子）
１０ｇ……ＸＬＲ端子（接地入力端子）
１０ｈ……ＸＬＲ端子（正位相入力端子）
１２Ａ……外部メモリ接続手段（外部メモリ接続端子）
１３……画像データ入力手段（画像データ入力端子）
２３……音声信号記録手段（ＡＤ変換部）
２５……音声信号記録手段（音声データ記録部）
２８……画像表示制御手段（表示制御部）
２９……音声信号無線送信手段（音声データ無線送信部）
ＡＳ……音声信号
ＣＨ……画像（文字）
ＧＤ……画像データ
ＯＭ……外部メモリ
【図１】
2004363776.tif 000003
【図２】
2004363776.tif 000004
【図３】
2004363776.tif 000005
【図４】
2004363776.tif 000006
【図５】
2004363776.tif 000007